(57)【要約】  【課題】  プリザーブドフラワーの損傷を確実に防止しつつ収容作業を容易に行うことができるプリザーブドフラワー用包装容器を提供する。  【解決手段】  保持部材１０と、保持部材１０を収容する外箱２０とを備え、複数のプリザーブドフラワー５０を保持部材１０に保持して外箱内２０に収容可能なプリザーブドフラワー用包装容器１であって、保持部材１０は、プリザーブドフラワー５０の茎部５２が挿入される挿入部１３を複数備えており、挿入部１３は、中心部から外方に向けて放射状に延びる３本以上の切込みまたはスリットにより形成された弾性変形可能な３つ以上の挟持片を備える。【選択図】  図１
2018167847.tif 000002
【特許請求の範囲】
【請求項１】
保持部材と、前記保持部材を収容する外箱とを備え、複数のプリザーブドフラワーを前記保持部材に保持して前記外箱内に収容可能なプリザーブドフラワー用包装容器であって、
前記保持部材は、プリザーブドフラワーの茎部が挿入される挿入部を複数備えており、
前記挿入部は、中心部から外方に向けて放射状に延びる３本以上の切込みまたはスリットにより形成された弾性変形可能な３つ以上の挟持片を備えるプリザーブドフラワー用包装容器。
【請求項２】
前記保持部材は、椀状の収容部を複数備え、
前記収容部は、プリザーブドフラワーの茎部が収容される凹部を備え、前記凹部の底部に前記挿入部が設けられており、
プリザーブドフラワーの花部を前記凹部の開口周縁部で保持する請求項１に記載のプリザーブドフラワー用包装容器。
【発明の詳細な説明】
【技術分野】
【０００１】
本発明は、プリザーブドフラワー用包装容器に関する。
【背景技術】
【０００２】
容器に収容した複数のプリザーブドフラワーが、搬送中に容器内で移動したり、展示のために姿勢が変化したりすると、プリザーブドフラワーが容器内面や他のプリザーブドフラワーと衝突する等して損傷するおそれがあることから、これを防止するための容器が従来から検討されている。例えば、特許文献１には、花の茎部が挿入される差込孔が形成された底板を有するセット台と、このセット台が収容されるケースとを備える容器が開示されている。
【先行技術文献】
【特許文献】
【０００３】
【特許文献１】特開２００６−２４０７０９号公報
【発明の概要】
【発明が解決しようとする課題】
【０００４】
上記特許文献１に開示された容器は、花の茎部をセット台の差込孔に挿入した後、茎部が差込孔から抜けないように、底板から下方に突出した茎部にクリップや虫ピン等の止め具を個々に取り付ける必要があるため、多数のプリザーブドフラワーを収容する際の作業が煩雑になり易いという問題があった。
【０００５】
そこで、本発明は、プリザーブドフラワーの損傷を確実に防止しつつ収容作業を容易に行うことができるプリザーブドフラワー用包装容器の提供を目的とする。
【課題を解決するための手段】
【０００６】
本発明の前記目的は、保持部材と、前記保持部材を収容する外箱とを備え、複数のプリザーブドフラワーを前記保持部材に保持して前記外箱内に収容可能なプリザーブドフラワー用包装容器であって、前記保持部材は、プリザーブドフラワーの茎部が挿入される挿入部を複数備えており、前記挿入部は、中心部から外方に向けて放射状に延びる３本以上の切込みまたはスリットにより形成された弾性変形可能な３つ以上の挟持片を備えるプリザーブドフラワー用包装容器により達成される。
【０００７】
このプリザーブドフラワー用包装容器において、前記保持部材は、椀状の収容部を複数備えることが可能である。この場合、前記収容部は、プリザーブドフラワーの茎部が収容される凹部を備えることが好ましく、前記凹部の底部に前記挿入部が設けられていることが好ましい。
【発明の効果】
【０００８】
本発明によれば、プリザーブドフラワーの損傷を確実に防止しつつ収容作業を容易に行うことができるプリザーブドフラワー用包装容器を提供することができる。
【図面の簡単な説明】
【０００９】
【図１】本発明の一実施形態に係るプリザーブドフラワー用包装容器の分解斜視図である。
【図２】図１に示すプリザーブドフラワー用包装容器の要部平面図である。
【図３】図２に示す要部の変形例を示す平面図である。
【図４】本発明の他の実施形態に係るプリザーブドフラワー用包装容器の要部断面図である。
【発明を実施するための形態】
【００１０】
以下、本発明の実施の形態について、添付図面を参照して説明する。図１は、本発明の一実施形態に係るプリザーブドフラワー用包装容器の分解斜視図である。図１に示すように、プリザーブドフラワー用包装容器１は、プリザーブドフラワー５０を保持する保持部材１０と、保持部材１０を収容する外箱２０とを備えている。
【００１１】
保持部材１０は、平面視矩形状の底部１１の外周縁に沿って枠体１２が設けられたトレイ状の部材である。保持部材１０は、可撓性材料からなり、例えば合成樹脂により形成することができるが、パルプモウルドを使用することにより、環境負荷の軽減を図りつつ衝撃吸収性を高めることができる。
【００１２】
保持部材１０の底部１１は、上面が平坦となるように形成されており、複数の挿入部１３がマトリクス状に設けられている。マトリクスの対角方向に隣接する２つの挿入部１３，１３の間には、それぞれ仕切用突部１４が設けられている。仕切用突部１４は、先細となるように形成されており、各挿入部１３に挿入されたプリザーブドフラワー５０の間に介在されるように配置されている。
【００１３】
図２は、挿入部１３の平面図である。本実施形態の挿入部１３は、中心部ｃから外方に向けて等角で放射状に延びる３本の切込み１５によって形成されている。各切込み１５は、トムソン刃等によって直線状に同じ長さで形成されており、隣接する２つの切込み１５，１５の間に挟持片１６が形成されている。挟持片１６は、中心部ｃの近傍を先端部とする三角形状であり、先端部側が上下に弾性変形可能とされている。
【００１４】
外箱２０は、厚紙を中空の直方体状に折り曲げて形成され、上部に開口部２１が形成されている。開口部２１の大きさは、保持部材１０の外周と略同じ大きさとされており、保持部材１０の外周が外箱２０の側壁内面と接触して、保持部材１０が外箱２０に嵌合状態で収容される。開口部２１の縁部には蓋板２２が連設されており、蓋板２２を折り曲げて、蓋板２２の先端に設けられた差込片２３を、外箱２０の側壁下部に形成された差込口２４に差し込むことにより、開口部２１を蓋板２２で覆うことができる。
【００１５】
蓋板２２の開口部２１に対応する位置には、ポリプロピレンシート等の透明シートで覆われた窓部２５が形成されており、外箱２０に収容されたプリザーブドフラワー５０を外部から視認することができる。外箱２０の対角位置における側壁上部には、外箱２０の内方に折り曲げ可能な係止片２６，２６が設けられており、保持部材１０の収容後に係止片２６，２６を折り込むことにより、係止片２６，２６の先端部が保持部材１０の枠体１２の上面と係合して、外箱２０内に保持部材１０をより確実に固定することができる。
【００１６】
上記の構成を備えるプリザーブドフラワー用包装容器１によれば、複数のプリザーブドフラワー５０の茎部５２を、保持部材１０の各挿入部１３の中心部ｃにそれぞれ差し込むだけで、下方に撓んだ各挟持片１６が弾性力によって茎部５２を挟持するので、簡単な作業でプリザーブドフラワー５０が保持部材１０に確実に保持される。この状態で保持部材１０を外箱２０に収容すると、プリザーブドフラワー用包装容器１の移動や姿勢変化等によりプリザーブドフラワー５０が窓部２５に衝突したり隣接する他のプリザーブドフラワー５０と擦れ合う等のおそれがなく、プリザーブドフラワー５０の損傷を確実に防止することができる。
【００１７】
保持部材１０に設ける挿入部１３は、必ずしも本実施形態の構成に限定されるものではなく、中心部から外方に向けて放射状に延びる３本以上の切込みまたはスリットにより形成された弾性変形可能な３つ以上の挟持片を備える構成であれば、他の構成であってもよい。例えば、図３（ａ）および（ｂ）に示すように、中心部ｃから外方に向けて等角で放射状に延びる４本または６本のスリット１５’によって、４つまたは６つの挟持片１６を備える挿入部１３を形成してもよく、各挟持片１６がプリザーブドフラワー５０の茎部５２を確実に挟持することができる。
【００１８】
スリット１５’の幅は、プリザーブドフラワー５０の茎部５２が太くなるほど大きくして、茎部５２の挿入作業の容易化と確実な挟持の両立を図ることが好ましい。茎部５２が細い場合には、スリット１５’ではなく切込み１５とすることで、プリザーブドフラワー５０を確実に保持することができる。
【００１９】
また、本実施形態においては、保持部材１０における上面が平坦な底部１１に挿入部１３を設けているが、図４に示すように、底部１１を下方に窪ませた椀状の収容部１７を複数備える構成とし、収容部１７の底部中央を更に窪ませて凹部１８を形成し、凹部１８の底部に挿入部１３を設けた構成であってもよい。収容部１７は、プリザーブドフラワー５０の花部５１の上半分程度が底部１１よりも上方に突出するような深さであることが好ましく、これによって、保持部材１０を外箱２０に収容したときに、窓部２５を介して花部５１の側面を視認することができ、見栄えを良好にすることができる。凹部１８には、プリザーブドフラワー５０の茎部５２が収容され、茎部５２の下部が挿入部１３に挿入される。これにより、花部５１は、凹部１８の開口周縁部１８ａで保持部材１０に保持され、凹部１８の内部がエアクッションの役割を果たすため、落下等により保持部材１０が受けた衝撃が花部５１に伝達されるのが抑制され、プリザーブドフラワー５０の損傷をより確実に防止することができる。
【符号の説明】
【００２０】
１  プリザーブドフラワー用包装容器
１０  保持部材
１３  挿入部
１４  仕切用突部
１５  切込み
１５’スリット
１６  挟持片
１７  収容部
１８  凹部
２０  外箱
５０  プリザーブドフラワー
５１  花部
５２  茎部
【図１】
2018167847.tif 000003
【図２】
2018167847.tif 000004
【図３】
2018167847.tif 000005
【図４】
2018167847.tif 000006